(57)【要約】【課題】封印シールと締結部材を保護する保護部材を備えた遊技機の制御基板ボックスを提供する。【解決手段】上カバー１１０は下カバー１４０上に重ねて前方にスライドし、内部に主制御基板を収容する。締結部１０２の第一上側締結部１２０と第一下側締結部１５０は上下に合わされ、合わせ目Ｇ１を形成する。締結部１０３の第二上側締結部１２５と第二下側締結部１５５は上下に合わされ、合わせ目Ｇ２を形成する。挿入穴１２１Ａ，１２６Ａには封印ねじが挿入され、締結部１０２，１０３が締結される。貼付部１０４は締結部１０２，１０３間に設けられ、封印シール１０７が貼り付けられる。保護カバー１７０は貼付部１０４を覆う保護部１７５と、締結部１０２，１０３を覆う第一覆部１８０，第二覆部１９０を備える。第一覆部１８０，第二覆部１９０は、挿入穴１２１Ａ，１２６Ａ、合わせ目Ｇ１，Ｇ２、脆弱部１２３，１２８を覆い、不正から保護する。【選択図】図６
2018201637.tif 000002
【特許請求の範囲】
【請求項１】
遊技機の制御を司る制御基板を収容する遊技機の制御基板ボックスであって、
前記制御基板を保持する基体と、
前記基体に重ね合わせて前記制御基板を覆い、前記基体と共に形成する内部空間に前記制御基板を収容する蓋体と、
前記基体に設ける基体側締結部と、前記蓋体に設ける蓋体側締結部と、締結部材の挿入穴とを有し、前記挿入穴に挿入された前記締結部材で前記基体側締結部と前記蓋体側締結部とを締結することによって前記基体と前記蓋体とを一体に固定する締結部と、
前記締結部の近傍に設け、前記基体に設ける基体側貼付部と、前記蓋体に設ける蓋体側貼付部とからなり、前記基体と前記蓋体を重ね合わせた状態で、前記基体と前記蓋体の合わせ目を跨いで前記基体側貼付部と前記蓋体側貼付部とに封印シールを貼り付け可能な貼付部と、
前記貼付部と前記締結部とに装着される一部材で形成され、前記貼付部を覆い、前記貼付部に貼り付けられた前記封印シールを保護可能な保護部と、前記締結部の前記挿入穴の開口を覆う開口覆部とを有する保護部材と
を備えたことを特徴とする遊技機の制御基板ボックス。
【請求項２】
前記保護部材は、前記締結部の側面にて、前記基体側締結部と前記蓋体側締結部との合わせ目を跨いで覆う側面覆部を備えたことを特徴とする請求項１に記載の遊技機の制御基板ボックス。
【請求項３】
前記保護部材の前記側面覆部は、前記締結部に係合する係合部を備えたことを特徴とする請求項２に記載の遊技機の制御基板ボックス。
【請求項４】
前記締結部は、前記基体および前記蓋体から側方に突出して設けられており、
前記締結部は、
前記基体および前記蓋体から突出する根元の部分である根元部と、
前記根元部と前記挿入穴との間に設け、所定の外力を受けた場合に、前記締結部の前記挿入穴を含む部分を前記基体および前記蓋体から分断する脆弱部と
を備え、
前記保護部材は、前記開口覆部に接続し、前記脆弱部と前記根元部を覆う脆弱覆部を備えたことを特徴とする請求項１から３のいずれかに記載の遊技機の制御基板ボックス。
【請求項５】
前記締結部は２つあり、前記貼付部を挟む両側にそれぞれ設けられたことを特徴とする請求項１から４のいずれかに記載の遊技機の制御基板ボックス。
【発明の詳細な説明】
【技術分野】
【０００１】
本発明は、遊技機の制御基板を収容する制御基板ボックスに関する。
【背景技術】
【０００２】
従来の遊技機の基板ボックスは、ベース体と蓋体の間に制御基板を収容し、封印突部をネジで締結する（例えば特許文献１参照）。封印突部のネジ穴には栓部材が詰められ、ネジが外せないように封印される。また、ベース体と蓋体の合わせ目には封印シールが貼り付けられ、溶剤等で剥がされないように、透明なカバー部材で防護される。基板ボックスには封印シールに刃先を向けるシール破断板が設けられる。シール破断板は、カバー部材を取り外す動作に連動して封印シールを切断することで、不正開封の痕跡を残す。
【先行技術文献】
【特許文献】
【０００３】
【特許文献１】特開２０１６−１７９２９８号公報
【発明の概要】
【発明が解決しようとする課題】
【０００４】
しかしながら、特許文献１においてネジ穴を封印する栓部材は、ただ詰められただけであれば容易に取り除け、たとえ接着剤で固定されたとしても、溶剤等を用いれば取り除くことが可能である。このため、封印ネジが外されて、基板ボックスがこじ開けられる可能性があった。
【０００５】
本発明は、封印シールと締結部材を保護する保護部材を備えた遊技機の制御基板ボックスを提供することを目的とする。
【課題を解決するための手段】
【０００６】
本発明の一態様によれば、遊技機の制御を司る制御基板を収容する遊技機の制御基板ボックスであって、前記制御基板を保持する基体と、前記基体に重ね合わせて前記制御基板を覆い、前記基体と共に形成する内部空間に前記制御基板を収容する蓋体と、前記基体に設ける基体側締結部と、前記蓋体に設ける蓋体側締結部と、締結部材の挿入穴とを有し、前記挿入穴に挿入された前記締結部材で前記基体側締結部と前記蓋体側締結部とを締結することによって前記基体と前記蓋体とを一体に固定する締結部と、前記締結部の近傍に設け、前記基体に設ける基体側貼付部と、前記蓋体に設ける蓋体側貼付部とからなり、前記基体と前記蓋体を重ね合わせた状態で、前記基体と前記蓋体の合わせ目を跨いで前記基体側貼付部と前記蓋体側貼付部とに封印シールを貼り付け可能な貼付部と、前記貼付部と前記締結部とに装着される一部材で形成され、前記貼付部を覆い、前記貼付部に貼り付けられた前記封印シールを保護可能な保護部と、前記締結部の前記挿入穴の開口を覆う開口覆部とを有する保護部材とを備えたことを特徴とする遊技機の制御基板ボックスが提供される。
【０００７】
保護部材の開口覆部は締結部の挿入穴を覆うので、工具等で締結部材を挿入穴から取り外そうとする行為を未然に防止する。保護部材は、封印シールと締結部材を一部材で保護するので、コスト削減に寄与する。
【０００８】
本態様において、前記保護部材は、前記締結部の側面にて、前記基体側締結部と前記蓋体側締結部との合わせ目を跨いで覆う側面覆部を備えてもよい。側面覆部は、基体側締結部と蓋体側締結部の合わせ目を覆い、締結部材または挿入穴を破壊する工具が合わせ目から挿入されるのを防ぐ。また、側面覆部は、基体側締結部と蓋体側締結部とが、基体と蓋体の重ね方向の交差方向にずらされることを規制する。即ち側面覆部は、合わせ目内に工具を挿入する切っ掛けとなる段部の形成を阻止する。故に保護部材は、制御基板ボックスの不正開封を防止できる。
【０００９】
本態様において、前記保護部材の前記側面覆部は、前記締結部に係合する係合部を備えてもよい。保護部材の貼付部を保護する部分に係合部がある場合、係合部を介して工具が挿入されて、破断部材が破壊される可能性がある。係合部を側面覆部に設けたことで、貼付部を保護する部分には、係合部が設けられていない。故に保護部材は、制御基板ボックスの不正開封を防止できる。
【００１０】
本態様において、前記締結部は、前記基体および前記蓋体から側方に突出して設けられており、前記締結部は、前記基体および前記蓋体から突出する根元の部分である根元部と、前記根元部と前記挿入穴との間に設け、所定の外力を受けた場合に、前記締結部の前記挿入穴を含む部分を前記基体および前記蓋体から分断する脆弱部とを備え、前記保護部材は、前記開口覆部に接続し、前記脆弱部と前記根元部を覆う脆弱覆部を備えてもよい。脆弱覆部は、脆弱部とその周囲を覆い、ニッパ等の工具で脆弱部が破壊されるのを防ぐ。故に保護部材は、制御基板ボックスの不正開封を防止できる。
【００１１】
本態様において、前記締結部は２つあり、前記貼付部を挟む両側にそれぞれ設けられてもよい。締結部が貼付部の側方にあるので、開口覆部は、保護部材の貼付部を覆う部分から延ばされて形成される。故に、２つの締結部を貼付部の側方の一方側で並べて設けた場合において、貼付部から遠い側の締結部の挿入穴を覆う開口覆部は、所定の外力を受けた場合に、貼付部から近い側の締結部の挿入穴を覆う開口覆部よりも撓みやすい。締結部を貼付部の両側に設けることで、どちらの締結部の挿入穴を覆う開口覆部も、保護部材の貼付部を覆う部分から離れる距離が同程度となるので、同程度の撓みにくさを確保できる。故に保護部材は、制御基板ボックスの不正開封を防止できる。
【図面の簡単な説明】
【００１２】
【図１】パチンコ機１の表枠４３と中枠４２が開いた状態を斜め前方から見た斜視図である。
【図２】センターカバー２３と遊技球タンク２５を取り外した状態の遊技盤２の背面図である。
【図３】主制御基板ボックス１００の斜視図である。
【図４】上カバー１１０と下カバー１４０の組付け前の斜視図である。
【図５】封印構造部１１５，１４５の斜視図である。
【図６】保護カバー１７０取付け前の封印構造部１１５，１４５の斜視図である。
【図７】保護カバー１７０取付け後の封印構造部１１５，１４５の斜視図である。
【図８】封印構造部１１５，１４５の平面図である。
【図９】封印構造部１１５，１４５の正面図である。
【図１０】封印構造部１１５，１４５の右側面図である。
【発明を実施するための形態】
【００１３】
以下、本発明に係る制御基板ボックス備える遊技機の一実施形態であるパチンコ機１について、図面を参照して説明する。まず、図１を参照し、パチンコ機１の概略的な構成について説明する。便宜上、図１の説明では、外枠４１に対し中枠４２と表枠４３を閉じたときの遊技盤２の盤面の向き、すなわちホールに設置されたパチンコ機１で遊技を行う遊技者からパチンコ機１を見た向きを基準に、前後、左右、上下の説明を行う。パチンコ機１は、外枠４１、中枠４２、および表枠４３を備える。中枠４２には遊技盤２が配設される。外枠４１は、遊技場の島設備（図示略）に配設される正面視長方形状の枠部材である。
【００１４】
中枠４２は、正面視略長方形状で金属製のアングル部材からなる。中枠４２の左柱部４２Ａは、上ヒンジ４５と下ヒンジ４６を介して外枠４１の左柱部４１Ａ近傍に軸支される。これにより中枠４２は、外枠４１に対して略水平方向に回動（開閉）することができる。中枠４２が開閉されると、中枠４２の右柱部４２Ｂは、外枠４１の右柱部４１Ｂに対して脱着される。
【００１５】
中枠４２の上半分には遊技盤２が配設される。中枠４２の正面側における遊技盤２の下方には上皿５が設けられ、上皿５の下方には下皿６が設けられる。下皿６の右側には、発射装置（図示略）が遊技球を打ち出す強さを調整する発射ハンドル７が設けられる。
【００１６】
遊技盤２の正面側には、正面視略矩形状の表枠４３が設けられる。表枠４３の略中央には円形の開口部が形成され、開口部には、透明なガラス窓１７が嵌め込まれる。表枠４３の左側端部４３Ａは、中枠４２の左柱部４２Ａの近傍に軸支される。これにより表枠４３は、中枠４２に対して略水平方向に回動（開閉）することができる。表枠４３が開閉されると、表枠４３の右側端部４３Ｂは、中枠４２の右柱部４２Ｂに対して脱着される。
【００１７】
表枠４３の左上部と右上部には、それぞれスピーカ４８が配設される。スピーカ４８はサブ制御基板（図示略）に電気的に接続され、サブ制御基板の制御によって様々な音声を発生する。表枠４３の前面には、演出用の電飾ランプ（図示略）が多数設けられる。電飾ランプはランプドライバ基板（図示略）に電気的に接続され、ランプドライバ基板の制御によって発光する。
【００１８】
遊技盤２の正面側の略中央には、液晶表示装置２０やＬＥＤ等を備えた図柄表示装置８が設けられる。図柄表示装置８の下側には始動入賞口１５が設けられ、始動入賞口１５の下側には普通電動役物１３が設けられ、普通電動役物１３の下側には大入賞口１８が設けられる。発射装置から発射された遊技球は、遊技盤２とガラス窓１７によって形成される遊技領域４を流下する。始動入賞口１５または普通電動役物１３へ遊技球が入賞すると、大当たり判定が行われる。液晶表示装置２０では、大当たり判定の結果に応じた様々な演出が行われる。大当たりと判定されると大入賞口１８が開放される大当たり遊技が実行され、多数の遊技球が払い出される。これらの一連の遊技、演出等は、遊技盤２の背面側に配設される複数の制御基板によって制御される。
【００１９】
遊技盤２の背面側にはセンターカバー２３が設けられる。センターカバー２３は、各種制御基板を収納する複数の制御基板ボックスを保護する。センターカバー２３の下方には下部カバー２４が設けられる。下部カバー２４は、パチンコ機１を動作させるための様々な部品を保護する。センターカバー２３の上方には、遊技場の島設備から供給される遊技球を貯留する遊技球タンク２５が配設される。
【００２０】
図２を参照し、遊技盤２の背面側の制御部３０について説明する。便宜上、図２の説明では、紙面右側を制御部３０の右側、紙面左側を制御部３０の左側として説明する。遊技盤２の背面側には、立方体形状の制御基板ボックスが複数配設される。各々の制御基板ボックスはそれぞれ制御基板を収納する。各制御基板は、パチンコ機１の制御部３０を構成する。
【００２１】
詳細には、遊技盤２の背面側の下半分には、ランプドライバ基板ボックス（図示略）が配設される。ランプドライバ基板ボックスは、各種電飾ランプおよびＬＥＤの発光を制御するランプドライバ基板（図示略）を収納する。ランプドライバ基板の背面側（図２の紙面手前側）には、主制御基板ボックス１００が配設される。主制御基板ボックス１００は、パチンコ機１の主制御を司る主制御基板１０５（図４参照）を収納する。すなわち、ランプドライバ基板ボックスと主制御基板ボックス１００は、遊技盤２の背面側の下部にて前後に積層される。主制御基板ボックス１００の詳細な構成については後述する。主制御基板１０５は、始動入賞口１５または普通電動役物１３へ遊技球が入賞することを契機として大当たり判定を行い、判定結果に応じて他の制御基板に制御信号を出力する。
【００２２】
遊技盤２の背面側の上半分には、液晶基板ボックス３３が配設される。液晶基板ボックス３３は液晶表示装置２０（図１参照）の背面側を覆う。液晶基板ボックス３３の背面側には、演出制御基板ボックス３４とサブ制御基板ボックス３５が配設される。演出制御基板ボックス３４は、液晶基板ボックス３３背面の中央よりやや左側に配設される。演出制御基板ボックス３４は、演出制御基板（図示略）を収納する。演出制御基板は液晶表示装置２０を駆動する。出制御基板は、画像データを記憶したＣＧＲＯＭを備え、サブ制御基板から受信する制御コマンドに従って液晶表示装置２０の表示を制御する。
【００２３】
サブ制御基板ボックス３５は演出制御基板ボックス３４の右側に配設される。サブ制御基板ボックス３５にはサブ制御基板が収納される。サブ制御基板は、主制御基板１０５から受信する制御コマンドに応じて演出全体を制御する。
【００２４】
各制御基板ボックスは、ビスによって、遊技盤２または他の制御基板ボックスに固定される。例えば、液晶基板ボックス３３は、４つのビス３８（図２ではそのうちの３つを図示する。）によって四隅の近傍で遊技盤２に固定される。サブ制御基板ボックス３５の上端部は、ビス３９によって遊技盤２に固定される。主制御基板ボックス１００の右端部は、２つのビス４０によって遊技盤２に固定される。
【００２５】
図３〜図５を参照し、主制御基板ボックス１００の構成について説明する。便宜上、図３以降の説明では、図３にて矢印で示す方向を基準に、前後、左右、上下の説明を行う。
【００２６】
図３、図４に示すように、主制御基板ボックス１００は、前後方向が左右方向よりも長く、上下方向に厚みを有する略直方体形状の箱体である。主制御基板ボックス１００は、上カバー１１０と下カバー１４０を備える。
【００２７】
下カバー１４０は板状で、上面にリブ構造を有し、主制御基板１０５の下面（裏面）側を覆う。下カバー１４０の左右両側の縁部には、それぞれ４つのフック１４１が前後に並んで設けられる。フック１４１は、それぞれ、上方に延び且つ後方に屈曲して延びる。下カバー１４０の前側の縁部は立設し、前壁を形成する。下カバー１４０の前壁は、前面に封印構造部１４５を備える。封印構造部１４５の構成は後述する。
【００２８】
上カバー１１０は、前壁、後壁、左右側壁、上壁を備え、下部が開放する箱状で、主制御基板１０５の上面（表面）を覆う。主制御基板１０５は、長方形状の基板トレイ１０６上に載置され、ビス１０６Ａ（図４ではそのうちの３つを図示する。）で基板トレイ１０６ごと上カバー１１０内に固定される。上カバー１１０の左右両側の縁部には、下カバー１４０のフック１４１に係合する４つのフック穴１１１（図４では右側縁部のフック穴１１１を図示する。）がそれぞれ前後に並んで設けられる。上カバー１１０の天板の右側には、前後方向に延びる開口部１１２が形成される。主制御基板１０５の開口部１１２に対応する位置には、各種制御基板との接続を担う接続線（図示略）を取り付ける複数のコネクタ（図示略）が設けられる。上カバー１１０の前壁は、前面に封印構造部１１５を備える。封印構造部１１５の構成は後述する。
【００２９】
上カバー１１０は、下カバー１４０に対して後方に位置をずらした状態で下カバー１４０上に重ね合わされる。上カバー１１０が下カバー１４０に対して前方にスライド移動することで、フック１４１がフック穴１１１に係合し、上カバー１１０と下カバー１４０が一体の箱体を形成する。上カバー１１０の右壁、左壁、後壁それぞれの下端部は、下カバー１４０の右縁部、左縁部、後縁部のそれぞれに密着するため、隙間から工具等の挿入することは難しく、フック１４１は破壊されにくい。主制御基板ボックス１００は、上カバー１１０と下カバー１４０を組み合わせて形成される箱体の内部空間に、主制御基板１０５を収容する。
【００３０】
次に、上カバー１１０の封印構造部１１５の構成について説明する。図５に示すように、封印構造部１１５には、第一上側締結部１２０、第二上側締結部１２５、上側貼付部１３５が設けられる。第一上側締結部１２０は封印構造部１１５の右端部に設けられ、第二上側締結部１２５は封印構造部１１５の左端部に設けられる。第一上側締結部１２０、第二上側締結部１２５は、それぞれ、第一下側締結部１５０、第二下側締結部１５５（後述）と共に、上カバー１１０と下カバー１４０とを締結して封印する締結部１０２、１０３を構成する。上側貼付部１３５は、第一上側締結部１２０と第二上側締結部１２５との間に設けられる。
【００３１】
第一上側締結部１２０と第二上側締結部１２５は略直方体形状に形成され、それぞれ上カバー１１０の前壁から前方に突出する。第一上側締結部１２０は、本体部１２１、根元部１２２、脆弱部１２３を有する。本体部１２１は、上壁、前壁、後壁、左壁、右壁を有し、内部をリブで補強する。本体部１２１の上壁上面には、挿入穴１２１Ａが形成される。挿入穴１２１Ａの開口周縁部は、上壁下面から下方へ筒状に突出し、本体部１２１内のリブによって支持される。よって挿入穴１２１Ａは、本体部１２１内を上下に貫通する。挿入穴１２１Ａの内面は、上部が六角形状で、下部が上部よりも小径の丸形状を有する。第一上側締結部１２０と第一下側締結部１５０の締結時、挿入穴１２１Ａ内には、頭部が六角形状のアンカーリベット１３０が挿通される。アンカーリベット１３０の下端部は、第一下側締結部１５０内に配置される。アンカーリベット１３０内には封印ねじ１３１が挿入される。封印ねじ１３１は、ねじ込み方向へのみトルクを加えることができる特殊形状のねじ頭を有する、いわゆるワンウェイねじである。封印ねじ１３１をねじ込むと、アンカーリベット１３０の下端部は拡径される。
【００３２】
根元部１２２は、上カバー１１０の前壁から台状に突出し、第一上側締結部１２０の基部を構成する。脆弱部１２３は、根元部１２２の前側に位置する。脆弱部１２３は上壁、左壁および右壁を有し、内部にリブが形成されない。脆弱部１２３の左壁と右壁は、それぞれ上壁の左右両端から下方へ延び、脆弱部１２３の高さの略１／３の高さに形成される。脆弱部１２３の左壁と右壁より下方の部分は、切り欠き状に形成される。脆弱部１２３の上壁には、２つの開口部１２３Ａが形成される。すなわち、脆弱部１２３は、上壁の開口部１２３Ａを除く部分と左壁および右壁とによって本体部１２１と根元部１２２とを接続する。脆弱部１２３は、ニッパ等で破壊することが可能な部位である。脆弱部１２３が破壊されることによって、第一上側締結部１２０は上カバー１１０から本体部１２１を分離することができる。
【００３３】
本体部１２１の右壁には、爪部１２４が設けられる。爪部１２４は、本体部１２１右壁から右方に突出し、前後に延びる。爪部１２４の下面は水平面で、上面は斜面に形成される。爪部１２４は、保護カバー１７０（後述）の組み付けに用いられる。第一上側締結部１２０の上面および右側面は、上カバー１１０の上面および右側面に対し、保護カバー１７０の厚み分の段状に形成される。
【００３４】
第二上側締結部１２５は、本体部１２６、根元部１２７、脆弱部１２８を有する。本体部１２６は、上壁、前壁、後壁、左壁、右壁を有し、内部をリブで補強する。本体部１２６の上壁上面には、挿入穴１２６Ａが形成される。挿入穴１２６Ａの開口周縁部は、上壁下面から下方へ筒状に突出し、本体部１２６内のリブによって支持される。よって挿入穴１２６Ａは、本体部１２６内を上下に貫通する。挿入穴１２６Ａの内面は、上部、下部共に丸形状で、下部が上部よりも小径に形成される。挿入穴１２６Ａ内には封印ねじ１３２が挿通可能である。封印ねじ１３２もワンウェイねじである。封印ねじ１３２は、第二上側締結部１２５と第二下側締結部１５５の非締結時、第二下側締結部１５５内にて保持される。
【００３５】
根元部１２７は、上カバー１１０の前壁から台状に突出し、第二上側締結部１２５の基部を構成する。脆弱部１２８は、根元部１２７の前側に位置する。脆弱部１２８は上壁、左壁および右壁を有し、内部にリブが形成されない。脆弱部１２８の左壁と右壁は、それぞれ上壁の左右両端から下方へ延び、脆弱部１２８の高さの略１／３の高さに形成される。脆弱部１２８の左壁と右壁より下方の部分は、切り欠き状に形成される。脆弱部１２８の上壁には、２つの開口部１２８Ａが形成される。脆弱部１２８は、上壁の開口部１２８Ａを除く部分と左壁および右壁とによって本体部１２６と根元部１２７とを接続する。脆弱部１２８も同様に、例えばニッパ等で破壊できる。脆弱部１２８が破壊された場合、第二上側締結部１２５は上カバー１１０から本体部１２６を分離することができる。
【００３６】
本体部１２６の左壁には、爪部１２９が設けられる。爪部１２９は、本体部１２６左壁から左方に突出し、前後に延びる。爪部１２９の下面は水平面で、上面は斜面に形成される。爪部１２９も、保護カバー１７０の組み付けに用いられる。第二上側締結部１２５の上面および左側面は、上カバー１１０の上面および左側面に対し、保護カバー１７０の厚み分の段状に形成される。
【００３７】
上側貼付部１３５と下側貼付部１６５（後述）は、封印シール１０７（図６参照）を貼り付ける貼付部１０４を構成する。上側貼付部１３５は、封印シール１０７の上側略半分が貼り付けられる部位である。上側貼付部１３５は、平面視、略長方形状である。上側貼付部１３５の上面は、上カバー１１０の上面を保護カバー１７０の厚みと封印シール１０７の厚みの大きさ分、段状に低い位置に設けられる。上側貼付部１３５上面の左右両端には、前後に延び上方に突出する突状部１３６が形成される。突状部１３６は封印シール１０７の厚み分突出し、封印シール１０７の左右両端の位置決めに用いられる。
【００３８】
上側貼付部１３５の前部は上カバー１１０の前壁よりも前方に突出し、上側貼付部１３５上面において封印シール１０７の貼付面積が確保される。上側貼付部１３５の前壁には切り欠き状のボス収容溝１３７が設けられる。上側貼付部１３５の上壁にはビス穴１３８が開口し、ボス収容溝１３７内に連通する。上カバー１１０と下カバー１４０とが組み合わされたとき、ボス収容溝１３７内には下カバー１４０の封印構造部１４５に設けられるボス１４２が収容される。ボス１４２にはビス穴１３８を介してビス１３９が締結される。
【００３９】
次に、下カバー１４０の封印構造部１４５の構成について説明する。封印構造部１４５には、第一下側締結部１５０、第二下側締結部１５５、下側貼付部１６５、右側固定部１６１、左側固定部１６３、ボス１４２が設けられる。第一下側締結部１５０は封印構造部１４５の右端部に設けられ、第二下側締結部１５５は封印構造部１４５の左端部に設けられる。下側貼付部１６５は、第一下側締結部１５０と第二下側締結部１５５との間に設けられる。
【００４０】
第一下側締結部１５０と第二下側締結部１５５は略直方体形状に形成され、それぞれ下カバー１４０の前壁から前方に突出する。第一下側締結部１５０は、前壁、左壁、右壁、下壁を有し、内部をリブで補強する。第一下側締結部１５０の大きさは、第一上側締結部１２０の大きさと略同じである。上カバー１１０と下カバー１４０とが組み合わされたとき、第一上側締結部１２０の本体部１２１の前壁、左壁、右壁と、第一下側締結部１５０の前壁、左壁、右壁とは、それぞれ、略同一な平面を形成する。第一下側締結部１５０は、上下に延びる筒状の挿入穴１５１を有する。挿入穴１５１は、第一下側締結部１５０内のリブによって支持される。挿入穴１５１の内面は丸形状である。挿入穴１５１は、第一上側締結部１２０の挿入穴１２１Ａに対応し、上カバー１１０と下カバー１４０とが組み合わされたとき、挿入穴１５１は挿入穴１２１Ａと接続する。第一上側締結部１２０と第一下側締結部１５０の締結時、挿入穴１５１内には、アンカーリベット１３０の下端部が挿入される。挿入穴１５１の下面は、第一下側締結部１５０の下壁から離れて位置する。アンカーリベット１３０の下端部は、拡径すると、挿入穴１５１の下面に係合する。
【００４１】
第二下側締結部１５５は、前壁、左壁、右壁、下壁を有し、内部をリブで補強する。第二下側締結部１５５の大きさは、第二上側締結部１２５の大きさと略同じである。上カバー１１０と下カバー１４０とが組み合わされたとき、第二上側締結部１２５の本体部１２６の前壁、左壁、右壁と、第二下側締結部１５５の前壁、左壁、右壁とは、それぞれ、略同一な平面を形成する。第二下側締結部１５５は、上下に延びる筒状の挿入穴１５６を有する。挿入穴１５６は、第二下側締結部１５５内のリブによって支持される。挿入穴１５６の内面は丸形状である。挿入穴１５６は、第二上側締結部１２５の挿入穴１２６Ａに対応し、上カバー１１０と下カバー１４０とが組み合わされたとき、挿入穴１５６は挿入穴１２６Ａと接続する。挿入穴１２６Ａは、第一下側締結部１５０の下壁には開口しない。第二上側締結部１２５と第二下側締結部１５５の締結時、挿入穴１５６内には、封印ねじ１３２の下端部がねじ込まれる。
【００４２】
貼付部１０４の下側貼付部１６５は、封印シール１０７の下側略半分が貼り付けられる部位である。下側貼付部１６５は、上下よりも左右に長く、前後を厚みとする略長方形の板状に形成される。下カバー１４０の下壁は、第一下側締結部１５０と第二下側締結部１５５との間にて前壁から前方へ突出し、第一下側締結部１５０の下壁と第二下側締結部１５５の下壁とを接続する接続部１６０を形成する。接続部１６０の前端部は上方に立設する。下側貼付部１６５は、接続部１６０において立設し、その後側にて接続部１６０からボス１４２が立設する。上カバー１１０と下カバー１４０とが組み合わされたとき、下側貼付部１６５の後面は、上側貼付部１３５前部の前面との間に、間隙Ｇ３を有する。間隙Ｇ３内にはシールカッター１０８（図６参照）が配置される。下側貼付部１６５の上面は、上側貼付部１３５の上面と略同じ高さに位置する。
【００４３】
右側固定部１６１は、接続部１６０の前端部で第一下側締結部１５０寄りの位置から前方へ突出する。右側固定部１６１は、上壁、左壁、右壁を有し、正面視略コの字に形成される。右側固定部１６１の上壁には固定穴１６２が開口する。左側固定部１６３は、接続部１６０の前端部で第二下側締結部１５５寄りの位置から前方へ突出する。左側固定部１６３は、上壁、左壁、右壁を有し、正面視略コの字に形成される。左側固定部１６３の上壁には固定穴１６４が開口する。主制御基板ボックス１００は、固定穴１６２、１６４に挿入されるビス４０（図２参照）によって、遊技盤２に固定される。
【００４４】
次に、保護カバー１７０について説明する。図６に示すように、保護カバー１７０は、透明な樹脂部材からなり、保護部１７５、第一覆部１８０、第二覆部１９０を備える。保護部１７５は、上側保護部１７６と下側保護部１７７を備え、封印シール１０７を保護する。上側保護部１７６は、前後よりも左右に長く延び上下に厚みを有する略長方形の板状をなす。上側保護部１７６は、上側貼付部１３５の段状の部分に係合し、上側貼付部１３５の上面全体を覆う。下側保護部１７７は、上側保護部１７６の前端から下方に延びる。下側保護部１７７は、上下よりも左右に長く延び前後に厚みを有する略長方形の板状をなす。下側保護部１７７は、下側貼付部１６５の前側に配置され、下側貼付部１６５の前面全体を覆う。下側保護部１７７は、後面下部に、後方へ突出する２つの突起部１７８を備える。突起部１７８は、下側保護部１７７後面下部にて左右両端にそれぞれ設けられる。突起部１７８の上面は水平面で、下面は斜面に形成される。突起部１７８は、シールカッター１０８の屈曲部１０８Ｂに係合する。
【００４５】
第一覆部１８０は、保護部１７５の左側に設けられ、第二覆部１９０は、保護部１７５の右側に設けられる。第一覆部１８０は、上覆部１８１、前覆部１８２、左覆部１８３、右覆部１８４を有する。上覆部１８１は、第一上側締結部１２０の上面を覆い、挿入穴１２１Ａの開口を覆い隠す。上覆部１８１の左端部は、上側保護部１７６の右端部に接続する。前覆部１８２は、第一上側締結部１２０の前面を覆う。前覆部１８２の上下方向の長さは、第一上側締結部１２０前面の上下方向の長さよりも長く、第一上側締結部１２０と第一下側締結部１５０の合わせ目Ｇ１を跨ぐ。左覆部１８３は、第一上側締結部１２０の左側面を覆う。左覆部１８３の上下方向の長さは、第一上側締結部１２０左側面の上下方向の長さよりも長く、合わせ目Ｇ１を跨ぐ。左覆部１８３は、前後方向の中間部分にて、下側保護部１７７の右端部に接続する。右覆部１８４は、第一上側締結部１２０の右側面を覆う。右覆部１８４の上下方向の長さは、第一上側締結部１２０右側面の上下方向の長さよりも長く、合わせ目Ｇ１を跨ぐ。右覆部１８４の略中央よりもやや下側には、第一上側締結部１２０の爪部１２４が係合する係合穴１８６が形成される。また、上覆部１８１の後端部と、左覆部１８３の後端部と、右覆部１８４の後端部とは、脆弱部１２３と根元部１２２を覆う。この部位を、脆弱覆部１８５と称す。
【００４６】
第二覆部１９０は、上覆部１９１、前覆部１９２、左覆部１９３、右覆部１９４を有する。上覆部１９１は、第二上側締結部１２５の上面を覆い、挿入穴１２６Ａの開口を覆い隠す。上覆部１９１の右端部は、上側保護部１７６の左端部に接続する。前覆部１９２は、第二上側締結部１２５の前面を覆う。前覆部１９２の上下方向の長さは、第二上側締結部１２５前面の上下方向の長さよりも長く、第二上側締結部１２５と第二下側締結部１５５の合わせ目Ｇ２を跨ぐ。左覆部１９３は、第二上側締結部１２５の左側面を覆う。左覆部１９３の上下方向の長さは、第二上側締結部１２５左側面の上下方向の長さよりも長く、合わせ目Ｇ２を跨ぐ。左覆部１９３の略中央よりもやや下側には、第二上側締結部１２５の爪部１２９が係合する係合穴１９６が形成される。右覆部１９４は、第二上側締結部１２５の右側面を覆う。右覆部１９４の上下方向の長さは、第二上側締結部１２５右側面の上下方向の長さよりも長く、合わせ目Ｇ２を跨ぐ。右覆部１９４は、前後方向の中間部分にて、下側保護部１７７の左端部に接続する。また、上覆部１９１の後端部と、左覆部１９３の後端部と、右覆部１９４の後端部とは、脆弱部１２８と根元部１２７を覆う。この部位を、脆弱覆部１９５と称す。
【００４７】
シールカッター１０８は、上下よりも左右に長く、前後を厚みとする板状をなす。シールカッター１０８の上側の縁部は、山谷が連続するノコギリ歯状の刃部１０８Ａを形成する。シールカッター１０８の左右両側の端部は柱状に形成され、下端部が前方に屈曲する屈曲部１０８Ｂを形成する。２つの屈曲部１０８Ｂ間の距離は、下側貼付部１６５の左右の長さよりも長い。シールカッター１０８は、上側貼付部１３５と下側貼付部１６５の間隙Ｇ３内に配置される。保護カバー１７０は、シールカッター１０８が間隙Ｇ３内に配置され、封印シール１０７が間隙Ｇ３を跨いで上側貼付部１３５と下側貼付部１６５とに貼り付けられた状態で、封印構造部１１５，１４５に取り付けられる。
【００４８】
主制御基板１０５は、主制御基板ボックス１００内に、以下のように収容される。図４に示すように、主制御基板１０５は、上カバー１１０内にビス１０６Ａで固定される。上カバー１１０は下カバー１４０上に、後方にずらした状態で重ね合わされて、前方にスライド移動される。フック１４１がフック穴１１１に係合し、上カバー１１０の左右側面が下カバー１４０の左右側面に固定される。
【００４９】
図６に示すように、上カバー１１０の封印構造部１１５の第一上側締結部１２０と第二上側締結部１２５は、それぞれ、下カバー１４０の封印構造部１４５の第一下側締結部１５０上と第二下側締結部１５５上に重なって配置される。第一上側締結部１２０の本体部１２１の前壁、左壁、右壁と、第一下側締結部１５０の前壁、左壁、右壁とが、それぞれ、略同一な平面を形成し、合わせ目Ｇ１が形成される。第二上側締結部１２５の本体部１２６の前壁、左壁、右壁と、第二下側締結部１５５の前壁、左壁、右壁とが、それぞれ、略同一な平面を形成し、合わせ目Ｇ２が形成される。
【００５０】
下カバー１４０のボス１４２（図５参照）にビス１３９が締結され、上側貼付部１３５が下側貼付部１６５に対して固定される。アンカーリベット１３０（図５参照）が第一上側締結部１２０の挿入穴１２１Ａに挿入され、封印ねじ１３１がねじ込まれることで、アンカーリベット１３０の下端部が第一下側締結部１５０内で拡径し、第一上側締結部１２０が第一下側締結部１５０に締結される。第一上側締結部１２０と第一下側締結部１５０とが締結される場合、第二上側締結部１２５と第二下側締結部１５５とは締結されない。
【００５１】
上側貼付部１３５と下側貼付部１６５の間隙Ｇ３に、シールカッター１０８が配置される。シールカッター１０８の屈曲部１０８Ｂは、下側貼付部１６５の左右両側に配置される。間隙Ｇ３を跨ぎ、上側貼付部１３５と下側貼付部１６５とに封印シール１０７が貼り付けられる。シールカッター１０８は、間隙Ｇ３内で、封印シール１０７に対して刃部１０８Ａを向けた状態で配置される。
【００５２】
図７に示すように、保護カバー１７０は上方から封印構造部１１５，１４５に嵌め込まれて取り付けられる。第一覆部１８０の係合穴１８６と、第二覆部１９０の係合穴１９６は、第一上側締結部１２０の爪部１２４と第二上側締結部１２５の爪部１２９にそれぞれ係合する。これにより、保護カバー１７０は封印構造部１１５，１４５に保持される。下側保護部１７７の突起部１７８（図６参照）は、シールカッター１０８の屈曲部１０８Ｂの下側で屈曲部１０８Ｂに係合する。下側保護部１７７の下端部は、封印構造部１４５の接続部１６０前端部の後側に位置し、前方への移動が規制される。故に下側保護部１７７を前方に撓めて突起部１７８と屈曲部１０８Ｂとの係合状態を外すことは難しい。
【００５３】
保護部１７５は封印シール１０７の上面と前面を覆い、封印シール１０７を保護する。仮に、不正行為を行う者が、主制御基板ボックス１００をこじ開けようとする場合に、溶剤等を用いて封印シール１０７を破ることなく剥がすためには、保護カバー１７０を外さなければならない。爪部１２９と係合穴１９６の係合状態が不正に外され、保護カバー１７０が上方に持ち上げられた場合、下側保護部１７７の突起部１７８がシールカッター１０８の屈曲部１０８Ｂを上方に押圧する。この場合、シールカッター１０８は、保護カバー１７０と共に上方に移動し、刃部１０８Ａによって間隙Ｇ３を跨ぐ封印シール１０７を破断する。故に、主制御基板ボックス１００は、不正の痕跡を残すことができる。
【００５４】
図７〜図１０に示すように、第一覆部１８０は、第一上側締結部１２０の全体を覆い、第二覆部１９０は、第二上側締結部１２５の全体を覆う。上覆部１８１は挿入穴１２１Ａの開口を覆い、上覆部１９１は、挿入穴１２６Ａの開口を覆う。仮に、不正行為を行う者が、封印ねじ１３１または１３２を不正に外して主制御基板ボックス１００をこじ開けようとする場合、挿入穴１２１Ａまたは１２６Ａ内に工具等を差し込むためには、第一覆部１８０または第二覆部１９０を上方に持ち上げなければならない。第一覆部１８０と第二覆部１９０は保護部１７５と一体であるため、第一覆部１８０または第二覆部１９０が持ち上げられると保護部１７５も持ち上げられて、シールカッター１０８が封印シール１０７を破断する。故に、主制御基板ボックス１００は、上記同様、不正の痕跡を残すことができる。
【００５５】
第一覆部１８０の前覆部１８２、左覆部１８３、右覆部１８４は、それぞれ、第一上側締結部１２０と第一下側締結部１５０の合わせ目Ｇ１を跨ぎ、第一下側締結部１５０の上部を覆う。仮に、不正行為を行う者が、第一上側締結部１２０と第一下側締結部１５０の締結部分を工具等で破壊して主制御基板ボックス１００をこじ開けようとする場合、合わせ目Ｇ１に工具等を差し込むためには、第一覆部１８０を上方に持ち上げなければならない。第一覆部１８０は保護部１７５と一体であるため、第一覆部１８０が持ち上げられると保護部１７５も持ち上げられて、シールカッター１０８が封印シール１０７を破断する。故に、主制御基板ボックス１００は、上記同様、不正の痕跡を残すことができる。また、前覆部１８２、左覆部１８３、右覆部１８４が合わせ目Ｇ１の前方、左方、右方の三方を覆うので、第一下側締結部１５０に対して第一上側締結部１２０を左右または前後にずらし、合わせ目Ｇ１に工具等を差し込むための段差を作ることは、できない。
【００５６】
第二覆部１９０の前覆部１９２、左覆部１９３、右覆部１９４は、それぞれ、第二上側締結部１２５と第二下側締結部１５５の合わせ目Ｇ２を跨ぎ、第二下側締結部１５５の上部を覆う。仮に、不正行為を行う者が、第二上側締結部１２５と第二下側締結部１５５の締結部分を工具等で破壊して主制御基板ボックス１００をこじ開けようとする場合、合わせ目Ｇ２に工具等を差し込むためには、第二覆部１９０を上方に持ち上げなければならない。第二覆部１９０は保護部１７５と一体であるため、第二覆部１９０が持ち上げられると保護部１７５も持ち上げられて、シールカッター１０８が封印シール１０７を破断する。故に、主制御基板ボックス１００は、上記同様、不正の痕跡を残すことができる。また、前覆部１９２、左覆部１９３、右覆部１９４が合わせ目Ｇ２の前方、左方、右方の三方を覆うので、第二下側締結部１５５に対して第二上側締結部１２５を左右または前後にずらし、合わせ目Ｇ２に工具等を差し込むための段差を作ることは、できない。
【００５７】
第一覆部１８０の脆弱覆部１８５は、脆弱部１２３と根元部１２２を覆い、第二覆部１９０の脆弱覆部１９５は、脆弱部１２８と根元部１２７を覆う。仮に、不正行為を行う者が、脆弱部１２３または１２８を破壊して主制御基板ボックス１００をこじ開けようとする場合、脆弱部１２３または１２８に工具等をあてがうためには、第一覆部１８０または第二覆部１９０を上方に持ち上げなければならない。第一覆部１８０と第二覆部１９０は保護部１７５と一体であるため、第一覆部１８０または第二覆部１９０が持ち上げられると保護部１７５も持ち上げられて、シールカッター１０８が封印シール１０７を破断する。故に、主制御基板ボックス１００は、上記同様、不正の痕跡を残すことができる。
【００５８】
なお、例えば主制御基板１０５の検査等のため、主制御基板ボックス１００を開ける場合には、保護カバー１７０を取り外し、脆弱部１２３をニッパ等で破壊して本体部１２１と根元部１２２とを切り離す。これにより、第一上側締結部１２０と第一下側締結部１５０との締結状態が解除されるので、ビス１３９を外し、下カバー１４０に対して上カバー１１０を後方にスライド移動すれば、主制御基板ボックス１００を開けることができる。封印シール１０７は破断されるが、正規な手順による検査の場合は新たな封印シール１０７を貼り直すことができる。よって、主制御基板ボックス１００を再び閉じる場合、第二上側締結部１２５と第二下側締結部１５５を封印ねじ１３２で締結し、保護カバー１７０を取り付ける。
【００５９】
以上説明したように、保護カバー１７０の上覆部１８１，１９１は第一上側締結部１２０，第二上側締結部１２５の挿入穴１２１Ａ，１２６Ａを覆うので、工具等で封印ねじ１３１，１３２を挿入穴１２１Ａ，１２６Ａから取り外そうとする行為を未然に防止する。保護カバー１７０は、封印シール１０７と封印ねじ１３１，１３２を一部材で保護するので、コスト削減に寄与する。
【００６０】
前覆部１８２，１９２、左覆部１８３，１９３、右覆部１８４，１９４は、第一下側締結部１５０，第二下側締結部１５５と第一上側締結部１２０，第二上側締結部１２５の合わせ目Ｇ１，Ｇ２を覆い、封印ねじ１３１，１３２または挿入穴１２１Ａ，１２６Ａを破壊する工具が合わせ目Ｇ１，Ｇ２から挿入されるのを防ぐ。また、前覆部１８２，１９２、左覆部１８３，１９３、右覆部１８４，１９４は、第一下側締結部１５０，第二下側締結部１５５と第一上側締結部１２０，第二上側締結部１２５とが、基体と蓋体の重ね方向の交差方向にずらされることを規制する。即ち前覆部１８２，１９２、左覆部１８３，１９３、右覆部１８４，１９４は、合わせ目Ｇ１，Ｇ２内に工具を挿入する切っ掛けとなる段部の形成を阻止する。故に保護カバー１７０は、主制御基板ボックス１００の不正開封を防止できる。
【００６１】
保護カバー１７０の保護部１７５に係合穴１８６，１９６がある場合、係合穴１８６，１９６を介して工具が挿入されて、シールカッター１０８が破壊される可能性がある。係合穴１８６，１９６を右覆部１８４、左覆部１９３に設けたことで、保護部１７５には、係合穴１８６，１９６が設けられていない。故に保護カバー１７０は、主制御基板ボックス１００の不正開封を防止できる。
【００６２】
脆弱覆部１８５，１９５は、脆弱部１２３，１２８と根元部１２２，１２７を覆い、ニッパ等の工具で脆弱部１２３，１２８が破壊されるのを防ぐ。故に保護カバー１７０は、主制御基板ボックス１００の不正開封を防止できる。
【００６３】
第一上側締結部１２０，第二上側締結部１２５が上側貼付部１３５の側方にあるので、上覆部１８１，１９１は、保護カバー１７０の保護部１７５から延ばされて形成される。故に、２つの第一上側締結部１２０，第二上側締結部１２５を保護部１７５の側方の一方側で並べて設けた場合において、保護部１７５から遠い側の第一上側締結部１２０または第二上側締結部１２５の挿入穴１２１Ａまたは１２６Ａを覆う上覆部１８１または１９１は、所定の外力を受けた場合に、保護部１７５から近い側の第一上側締結部１２０または第二上側締結部１２５の挿入穴１２１Ａまたは１２６Ａを覆う上覆部１８１または１９１よりも撓みやすい。第一上側締結部１２０，第二上側締結部１２５を保護部１７５の両側に設けることで、第一上側締結部１２０，第二上側締結部１２５の挿入穴１２１Ａ，１２６Ａを覆う上覆部１８１，１９１はどちらも保護カバー１７０の保護部１７５を覆う部分から離れる距離が同程度となるので、同程度の撓みにくさを確保できる。故に保護カバー１７０は、主制御基板ボックス１００の不正開封を防止できる。
【００６４】
本発明は、以上詳述した実施形態に限定されるものではなく、本発明の要旨を逸脱しない範囲内において種々の変更が可能である。本発明に係る制御基板ボックスは、主制御基板１０５を収容する主制御基板ボックス１００を例に説明したが、これに限らず、サブ制御基板、演出制御基板等、他の制御基板を収容するボックスであってもよい。上カバー１１０と下カバー１４０を締結する締結部１０２，１０３は２つ設けたが、１つであってもよいし、３つ以上あってもよい。第一覆部１８０、第二覆部１９０は、それぞれ前覆部１８２，１９２、左覆部１８３，１９３、右覆部１８４，１９４がなく、上覆部１８１，１９１が挿入穴１２１Ａ，１２６Ａを覆うだけの構成であってもよい。また、第一覆部１８０、第二覆部１９０は、脆弱覆部１８５，１９５がなくてもよい。
【００６５】
保護カバー１７０を封印構造部１１５，１４５に固定するための係合穴１８６，１９６と爪部１２４，１２９の構成は、なくてもよい。例えば、保護カバー１７０を単なる嵌め込みによって封印構造部１１５，１４５に固定してもよい。あるいは、保護カバー１７０をねじ留めによって封印構造部１１５，１４５に固定してもよい。
【００６６】
第一上側締結部１２０、第二上側締結部１２５において、根元部１２２，１２７はなくてもよい。脆弱部１２３，１２８もなくてもよい。なお、脆弱部１２３，１２８の構成を省いた場合、封印ねじ１３１，１３２は、ワンウェイねじでなくてもよい。
【００６７】
特許請求の範囲、明細書および図面に記載される全ての要素（例えば、表示装置、普通電動役物、図柄作動口等）は、個数を意識的に限定する明確な記載がない限り、物理的に単一であっても複数であっても構わないし、適宜配置の変更が行われても構わない。また、各要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「表示装置」は、ハード単体でも、ソフトを含んだものであっても構わない。更には、上記全ての要素のうちの複数の要素を適宜一体的に構成するか、もしくはひとつの要素を複数の要素に分けて構成するかは、特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。従って、その程度の範囲内での構成上の差異を有する遊技機を、本実施形態に記載がなされていないことを理由に採用することのみでは、本発明に係る権利を回避したことにはならない。その他、各要素の構成や形状等における、本実施形態から当業者であれば容易に考えられる自明な範囲の差異についても同様である。
【００６８】
なお、本発明においては、主制御基板１０５が「制御基板」に相当する。下カバー１４０が「基体」に相当する。上カバー１１０が「蓋体」に相当する。第一下側締結部１５０と第二下側締結部１５５が「基体側締結部」に相当する。第一上側締結部１２０と第二上側締結部１２５が「蓋体側締結部」に相当する。アンカーリベット１３０と封印ねじ一三一，１３２が「締結部材」に相当する。下側貼付部１６５が「基体側貼付部」に相当する。上側貼付部１３５が「蓋体側貼付部」に相当する。上覆部１８１，１９１が「開口覆部」に相当する。保護カバー１７０が「保護部材」に相当する。主制御基板ボックス１００が「制御基板ボックス」に相当する。前覆部１８２，１９２、左覆部１８３，１９３、右覆部１８４，１９４が「側面覆部」に相当する。係合穴１８６，１９６が「係合部」に相当する。
【符号の説明】
【００６９】
１                            パチンコ機
１００                        主制御基板ボックス
１０２，１０３                締結部
１０４                        貼付部
１０５                        主制御基板
１０７                        封印シール
１１０                        上カバー
１２０                        第一上側締結部
１２１Ａ，１２６Ａ            挿入穴
１２２，１２７                根元部
１２３，１２８                脆弱部
１２５                        第二上側締結部
１３０                        アンカーリベット
１３１，１３２                封印ねじ
１３５                        上側貼付部
１４０                        下カバー
１５０                        第一下側締結部
１５５                        第二下側締結部
１６５                        下側貼付部
１７０                        保護カバー
１７５                        保護部
１８０                        第一覆部
１８１，１９１                上覆部
１８２，１９２                前覆部
１８３，１９３                左覆部
１８４，１９４                右覆部
１８５，１９５                脆弱覆部
１８６，１９６                係合穴
１９０                        第二覆部
Ｇ１，Ｇ２                    合わせ目
Ｇ３                          間隙
【図１】
2018201637.tif 000003
【図２】
2018201637.tif 000004
【図３】
2018201637.tif 000005
【図４】
2018201637.tif 000006
【図５】
2018201637.tif 000007
【図６】
2018201637.tif 000008
【図７】
2018201637.tif 000009
【図８】
2018201637.tif 000010
【図９】
2018201637.tif 000011
【図１０】
2018201637.tif 000012